(57)【要約】【課題】釘調整の具合等による特別遊技状態の実質的な継続期間の変動を抑制することにより、特別遊技状態中における所定値の算定を正確に行うことができると共に遊技者の不公平感を解消することが可能な弾球遊技機を提供する。【解決手段】開閉式図柄始動手段２７ｂを含む図柄始動手段が遊技球を検出することに基づいて図柄を変動表示する図柄表示手段変動後の停止図柄が特定態様となることに基づいて利益状態を発生させ、その利益状態の発生に基づいて、開閉式図柄始動手段２７ｂの開放時間を通常よりも長くする開放延長状態を含む特別遊技状態を所定期間発生させるように構成された弾球遊技機で、特別遊技状態の開始後における図柄表示手段の変動回数Ｍと、その図柄表示手段に関する保留個数Ｎとの和が規定数に達することにより（Ｓ４：Ｙｅｓ）、開閉式図柄始動手段２７ｂの開放動作を停止させる（Ｓ５）ように構成する。【選択図】図５
2012095798.tif 000002
【特許請求の範囲】
【請求項１】
所定開放条件の成立に基づいて、遊技球が入球不可能又は入球困難な閉状態からそれよりも入球容易な開状態へと所定時間変化可能に構成された開閉式図柄始動手段と、前記開閉式図柄始動手段を含む図柄始動手段が遊技球を検出することに基づいて取得される変動記憶情報に基づいて図柄を変動表示する図柄表示手段と、前記変動記憶情報を前記図柄表示手段による図柄変動に供されるまで所定の上限個数を限度として記憶する情報記憶手段と、前記図柄表示手段による変動後の停止図柄が予め定められた特定態様となることに基づいて利益状態を発生させる利益状態発生手段と、前記利益状態の発生に基づいて、前記開閉式図柄始動手段の開放時間を通常よりも長くする開放延長状態を含む特別遊技状態を所定期間発生させる特別遊技状態発生手段とを備えた弾球遊技機において、前記特別遊技状態の開始後における前記図柄表示手段の変動回数と、前記情報記憶手段への前記変動記憶情報の記憶個数である保留個数との和が規定数に達することにより、前記開閉式図柄始動手段の開放動作を停止させるように構成したことを特徴とする弾球遊技機。
【請求項２】
前記特別遊技状態が、前記図柄表示手段による変動後の停止図柄が前記特定態様となる確率が通常よりも高くなる確変状態を含むことを特徴とする請求項１に記載の弾球遊技機。
【請求項３】
前記特別遊技状態の開始後における前記図柄表示手段の変動回数が前記規定数に達することに基づいて、前記特別遊技状態を終了させるように構成したことを特徴とする請求項１又は２に記載の弾球遊技機。
【請求項４】
前記特別遊技状態の開始後における前記図柄表示手段の変動回数が前記規定数に達することに基づいて、前記開閉式図柄始動手段の開放動作の停止を解除するように構成したことを特徴とする請求項１〜３の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機では、普通図柄が当たり態様で停止する等の所定開放条件の成立に基づいて開閉式図柄始動手段を所定時間開放し、その開閉式始動手段が遊技球を検出することに基づいて取得される大当たり判定乱数等の変動記憶情報に基づいて図柄表示手段により図柄を変動表示し、その図柄表示手段による変動後の停止図柄が予め定められた大当たり態様（特定態様）となることに基づいて、大入賞手段を開放する等の利益状態を発生させると共に、その利益状態の終了後に、例えば図柄表示手段が所定回数変動するまでの期間中、図柄表示手段が大当たり態様となる確率が通常よりも高くなる確変状態を含む特別遊技状態が発生するように構成されたものがある。
【０００３】
この種のパチンコ機では、特別遊技状態中は、確変状態だけでなく、開閉式始動手段の開放時間が通常よりも長くなる開放延長状態等も併せて発生する場合が多く、図柄が大当たり態様となる確率が高くなるだけでなく、図柄が変動する確率も高くなって遊技者にとって非常に有利な状態となる（例えば特許文献１）。
【先行技術文献】
【特許文献】
【０００４】
【特許文献１】特開２０１０−１６７１３９号公報
【発明の概要】
【発明が解決しようとする課題】
【０００５】
この種のパチンコ機では、特別遊技状態は例えば図柄表示手段が所定回数（例えば５０回）変動した時点で終了するが、その時点で例えば最大４個の保留記憶が存在する可能性があり、またこの最大４個の保留記憶に関しては、大当たり抽選が高確率で行われる。従って、特別遊技状態の実質的な継続期間は、特別遊技状態終了時の保留記憶個数に応じて、例えば図柄変動回数４回分の範囲、即ち例えば図柄変動回数５０〜５４回の範囲で変動する。また、特別遊技状態終了時の保留記憶個数は、例えば普通図柄の始動ゲートに対する釘調整の具合などに大きく影響を受けることは明らかである。
【０００６】
このように、特別遊技状態の継続期間が図柄変動回数で規定されている従来の弾球遊技機では、釘調整の具合などによって特別遊技状態の実質的な継続期間が変動するため、例えば特別遊技状態中における払出個数等の算定を行う際にその前提条件が変動することとなってその算定結果が不正確となり、また遊技者が不公平感を感じることによって遊技意欲が減退する等の問題があった。
【０００７】
本発明は上記事情に鑑みてなされたものであり、釘調整の具合等による特別遊技状態の実質的な継続期間の変動を抑制することにより、特別遊技状態中における所定値の算定を正確に行うことができると共に遊技者の不公平感を解消することが可能な弾球遊技機を提供することを目的とする。
【課題を解決するための手段】
【０００８】
本発明は、所定開放条件の成立に基づいて、遊技球が入球不可能又は入球困難な閉状態からそれよりも入球容易な開状態へと所定時間変化可能に構成された開閉式図柄始動手段２７ｂと、前記開閉式図柄始動手段２７ｂを含む図柄始動手段２７ａ，２７ｂが遊技球を検出することに基づいて取得される変動記憶情報に基づいて図柄を変動表示する図柄表示手段２３と、前記変動記憶情報を前記図柄表示手段２３による図柄変動に供されるまで所定の上限個数を限度として記憶する情報記憶手段５３と、前記図柄表示手段２３による変動後の停止図柄が予め定められた特定態様となることに基づいて利益状態を発生させる利益状態発生手段５５と、前記利益状態の発生に基づいて、前記開閉式図柄始動手段２７ｂの開放時間を通常よりも長くする開放延長状態を含む特別遊技状態を所定期間発生させる特別遊技状態発生手段５７とを備えた弾球遊技機において、前記特別遊技状態の開始後における前記図柄表示手段２３の変動回数Ｍと、前記情報記憶手段５３への前記変動記憶情報の記憶個数である保留個数Ｎとの和が規定数に達することにより、前記開閉式図柄始動手段２７ｂの開放動作を停止させるように構成したものである。
【０００９】
また、前記特別遊技状態が、前記図柄表示手段２３による変動後の停止図柄が前記特定態様となる確率が通常よりも高くなる確変状態を含むように構成してもよい。
【００１０】
また、前記特別遊技状態の開始後における前記図柄表示手段２３の変動回数Ｍが前記規定数に達することに基づいて、前記特別遊技状態を終了させるように構成してもよい。
【００１１】
更に、前記特別遊技状態の開始後における前記図柄表示手段２３の変動回数Ｍが前記規定数に達することに基づいて、前記開閉式図柄始動手段２７ｂの開放動作の停止を解除するように構成してもよい。
【発明の効果】
【００１２】
本発明によれば、釘調整の具合等による特別遊技状態の実質的な継続期間の変動を抑制でき、特別遊技状態中における所定値の算定を正確に行い、また遊技者の不公平感を解消することが可能である。
【図面の簡単な説明】
【００１３】
【図１】本発明の一実施形態に係るパチンコ機の全体斜視図である。
【図２】同パチンコ機の遊技盤の正面図である。
【図３】同パチンコ機の制御系のブロック図である。
【図４】同パチンコ機の遊技状態毎の普通図柄の当たり確率及び変動時間、下特別始動口の開閉パターンの一例を示す図である。
【図５】同パチンコ機の特別遊技状態発生処理のフローチャートである。
【図６】同パチンコ機の各始動手段による遊技球の検出と各図柄表示手段の変動、特別遊技状態中における図柄変動回数、特別保留個数等の変動に関するタイムチャートの一例を示す図である。
【発明を実施するための形態】
【００１４】
以下、本発明の実施形態を図面に基づいて詳述する。図１〜図６は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１５】
前面板５には、その前側に、発射手段（図示省略）に供給するための遊技球を貯留する貯留皿６、発射手段を作動させるための発射ハンドル７等が設けられている。
【００１６】
ガラス扉４の裏側には、図２に示す遊技盤１１が着脱自在に装着されている。遊技盤１１の前面側には、発射手段から発射された遊技球を案内するガイドレール１２が環状に装着されると共に、そのガイドレール１２の内側の遊技領域１３に、センターケース１４、普通図柄始動手段１５、特別図柄始動手段（図柄始動手段）１６、大入賞手段１７、普通入賞手段１８等の各種遊技部品が配置されている。
【００１７】
センターケース１４には、液晶式等の画像表示装置２１の他、普通図柄表示手段２２、特別図柄表示手段（図柄表示手段）２３、普通保留個数表示手段２４等が設けられている。画像表示装置２１は、演出図柄表示手段２５、特別保留個数表示手段２６等を構成している。
【００１８】
普通図柄表示手段２２は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１９】
また、普通図柄表示手段２２の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２４がその発光個数により当たり判定乱数値の記憶個数（以下、普通保留個数という）を表示して、その時点での普通保留個数を遊技者に報知するようになっている。
【００２０】
特別図柄始動手段１６は、特別図柄表示手段２３による図柄変動を開始させるためのもので、上下２つの特別始動口２７ａ，２７ｂと、下特別始動口２７ｂを開閉する開閉手段２８とを備え、例えばセンターケース１４の下側に配置されている。
【００２１】
上特別始動口２７ａは、開閉手段等を有しない非作動式入賞口である。下特別始動口  （開閉式図柄始動手段）２７ｂは、開閉手段２８により遊技球が入賞可能な開状態と入賞不可能な閉状態とに切り換え可能な作動式入賞口で、普通図柄表示手段２２の変動後の停止図柄が当たり態様となって普通利益状態が発生したときに（所定開放条件の成立の一例）、開閉手段２８が所定時間、所定回数だけ閉状態から開状態に変化するように構成されている。
【００２２】
特別図柄表示手段２３は、１個又は複数個、例えば１個の特別図柄（図柄）を変動表示可能な７セグメント式等の表示手段により構成されており、特別図柄始動手段１６が遊技球を検出すること、即ち上下２つの特別始動口２７ａ，２７ｂの何れかに遊技球が入賞することを条件に特別図柄を所定時間変動表示して、上下の特別始動口２７ａ，２７ｂへの入賞時に取得された大当たり判定乱数値が予め定められた大当たり判定値と一致する場合には所定の大当たり態様（特定態様）で、それ以外の場合には外れ態様で停止するようになっている。
【００２３】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２４】
また、特別図柄の変動表示中、又は後述する大当たり状態中に上下の特別始動口２７ａ，２７ｂに遊技球が入賞した場合には、その入賞時に取得された大当たり判定乱数値等が夫々所定の上限保留個数、例えば各４個を限度として記憶されると共に、特別保留個数表示手段２６が大当たり判定乱数値の記憶個数（以下、特別保留個数という）を表示して、その時点での特別保留個数を遊技者に報知するようになっている。
【００２５】
演出図柄表示手段２５は、例えば特別図柄表示手段２３による特別図柄の変動表示と並行して演出図柄を変動表示するもので、１個又は複数個、例えば左右方向に３個の演出図柄を例えば各種の演出画像と共に画像表示装置２１の表示画面２１ａに変動表示可能に構成されており、特別図柄始動手段１６が遊技球を検出すること、即ち上下２つの特別始動口２７ａ，２７ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２６】
演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。なお、本実施形態では、特別図柄が大当たり態様となる場合には演出図柄も大当たり態様となり、特別図柄が外れ態様となる場合には演出図柄も外れ態様となるものとする。
【００２７】
特別保留個数表示手段２６は、特別保留個数分のシンボルＸの表示個数により特別保留個数を表示するもので、表示画面２１ａ上の所定部分、例えば下部側に保留個数分のシンボルＸを表示するようになっている。
【００２８】
大入賞手段１７は、遊技球が入賞可能な開状態と入賞不可能な閉状態とに切り換え可能な開閉板２９を備えた開閉式入賞手段で、特別図柄表示手段２３の変動後の特別図柄が大当たり態様となることに基づいて大当たり状態（利益状態）が発生したときに、開閉板２９が所定の開放パターンに従って前側に開放して、その上に落下した遊技球を内部へと入賞させるようになっている。
【００２９】
図３は本パチンコ機の制御系のブロック図である。図３において、３１は主制御基板、３２は演出制御基板で、これら各制御基板３１，３２は、遊技盤１１に装着されたセンターケース１４、その他の複数個の遊技部品を裏側から一括して覆う裏カバーの裏側等、前枠３及び遊技盤１１を含む遊技機本体１の裏側の適宜箇所に着脱自在に装着された基板ケースに夫々収納されている。
【００３０】
主制御基板３１は、主に遊技盤１１側の遊技動作に関わる制御を行うためのもので、ＣＰＵ，ＲＯＭ，ＲＡＭ等により構成される普通乱数作成処理手段４１、普通始動口チェック処理手段４２、普通乱数記憶手段４３、普通図柄処理手段４４、普通利益状態発生手段４５、普通図柄表示制御手段４６、特別乱数作成処理手段５１、特別始動口チェック処理手段５２、特別乱数記憶手段（情報記憶手段）５３、特別図柄処理手段５４、大当たり状態発生手段５５、特別図柄表示制御手段５６、特別遊技状態発生手段５７、制御コマンド送信手段５８等を備えている。
【００３１】
普通乱数作成処理手段４１は、変動後の普通図柄を当たり態様とするか否かの判定に用いる当たり判定乱数等を所定時間毎に繰り返し発生するように構成されている。普通始動口チェック処理手段４２は、普通図柄始動手段１５による遊技球の検出に基づく処理を行うもので、普通図柄始動手段１５が遊技球を検出することに基づいて、普通乱数作成処理手段４１で作成された当たり判定乱数値を１個取得し、その当たり判定乱数値を予め定められた上限保留個数（例えば４個）を限度として普通乱数記憶手段４３に記憶させるように構成されている。
【００３２】
普通図柄処理手段４４は、普通図柄の変動表示に関する処理を行うもので、普通図柄表示手段２２が変動表示可能な状態となり且つ普通乱数記憶手段４３に１個以上の当たり判定乱数値が記憶されていること（普通保留個数が１以上であること）を条件に、普通乱数記憶手段４３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００３３】
普通利益状態発生手段４５は、普通図柄処理手段４４による判定結果が当たり判定となり、普通図柄表示手段２２の変動後の停止図柄が当たり態様となったときに、特別図柄始動手段１６を構成する下特別始動口２７ｂの開閉手段２８を例えば複数種類の開閉パターンの何れかに従って開状態に変化させるようになっている。
【００３４】
普通図柄表示制御手段４６は、普通図柄処理手段４４による普通図柄処理に基づいて普通図柄表示手段２２の表示制御を行うもので、普通図柄表示手段２２が変動表示可能な状態となり且つ普通乱数記憶手段４３に１個以上の当たり判定乱数値が記憶されていること（普通保留個数が１以上であること）を条件に普通図柄表示手段２２による普通図柄の変動を開始させ、普通図柄処理手段４４で選択された変動時間が経過することに基づいて、同じく普通図柄処理手段４４で選択された停止図柄で普通図柄の変動を停止させるようになっている。
【００３５】
特別乱数作成処理手段５１は、変動後の特別図柄を大当たり態様、外れ態様の何れにするかについての判定に用いる大当たり判定乱数の他、変動後の特別図柄が大当たり態様となる場合の停止図柄の選択に用いる大当たり図柄乱数、変動後の特別図柄が外れ態様となる場合の停止図柄の選択に用いる外れ図柄乱数、演出図柄の変動パターンの選択に用いる変動パターン乱数、その他の所定の乱数を繰り返し発生する特別乱数作成処理を行うように構成されている。
【００３６】
特別始動口チェック処理手段５２は、特別図柄始動手段１６への遊技球の入賞に基づく処理を行うもので、特別図柄始動手段１６が遊技球を検出すること、即ち上下の特別始動口２７ａ，２７ｂに遊技球が入賞することに基づいて、特別乱数作成処理手段５１で作成された大当たり判定乱数値（変動記憶情報）及び大当たり図柄乱数値を１個ずつ取得し、それら当たり判定乱数値及び当たり図柄乱数値を予め定められた上限保留個数（例えば各４個）を限度として特別乱数記憶手段（情報記憶手段）５３に記憶させるように構成されている。
【００３７】
特別図柄処理手段５４は、特別図柄の変動表示に関する処理を行うもので、特別図柄表示手段２３が変動表示可能な状態となり且つ特別乱数記憶手段５３に１個以上の大当たり判定乱数値が記憶されていること（特別保留個数が１以上であること）を条件に、特別乱数記憶手段５３に最も早く記憶された大当たり判定乱数値を取り出し、その大当たり判定乱数値が予め定められた大当たり判定値と一致するか否かに応じて大当たり／外れの判定を行う大当たり判定機能、大当たり／外れの判定結果と、特別乱数記憶手段５３に大当たり判定乱数値と共に記憶されている大当たり図柄乱数値又は新たに取得された外れ図柄乱数値とに基づいて、特別図柄の変動後の停止図柄を選択する特別停止図柄選択機能、大当たり／外れの判定結果と、新たに取得された変動パターン乱数値とに基づいて演出図柄の変動パターンを選択する変動パターン選択機能等を備えている。
【００３８】
大当たり状態発生手段（利益状態発生手段）５５は、大当たり状態（利益状態）を発生させるためのもので、特別図柄処理手段５４による大当たり／外れの判定結果が大当たり判定となり、特別図柄表示手段２３による特別図柄の変動後の停止図柄が大当たり態様  （特定態様）となることに基づいて、大入賞手段１７を所定の開放パターンに従って開放する大当たり状態を発生させるようになっている。本実施形態の開放パターンは、大入賞手段１７の開放から所定時間（例えば２８秒）経過するか、それまでに所定個数（例えば９個）の遊技球が入賞することを条件に大入賞手段１７を閉鎖する動作を、所定ラウンド数（例えば１５ラウンド）繰り返すように設定されているものとするが、複数種類の開放パターンを設け、例えば大当たり図柄乱数値に基づいてそれらの何れかを選択するように構成してもよい。
【００３９】
特別図柄表示制御手段５６は、特別図柄表示手段２３の表示制御を行うもので、特別図柄処理手段５４による特別図柄処理に基づいて、特別図柄表示手段２３による特別図柄の変動を開始させると共に、選択された演出図柄の変動パターンに対応する変動時間が経過することに基づいて所定の停止図柄で特別図柄の変動を停止させるようになっている。
【００４０】
特別遊技状態発生手段５７は、大当たり状態終了後の所定期間に遊技者に有利な特別遊技状態を発生させるためのもので、確変状態発生手段５７ａと開放延長状態発生手段５７ｂとを備え、例えば大当たり状態が発生したときに図５に示す特別遊技状態発生処理を実行するように構成されている。なお、本実施形態では、大当たり状態の終了後、特別図柄表示手段２３による図柄変動回数が規定数である５０回となるまでの期間、特別遊技状態を発生させるものとする。
【００４１】
特別遊技状態発生手段５７による特別遊技状態発生処理（図５）では、まず大当たり状態の終了を監視し（Ｓ１）、大当たり状態が終了した場合に（Ｓ１：Ｙｅｓ）、特別遊技状態を開始させる（Ｓ２）。本実施形態の特別遊技状態は、確変状態発生手段５７ａによる確変状態と、開放延長状態発生手段５７ｂによる開放延長状態とで構成されている。
【００４２】
確変状態発生手段５７ａによる確変状態中は、それ以外の通常確率状態中よりも大当たり判定値の数が増加することにより、特別図柄が大当たり態様となる確率が通常確率（例えば１／３５０）よりも高い高確率（例えば１／３５）に切り換えられるようになっている。
【００４３】
また、開放延長状態発生手段５７ｂによる開放延長状態中は、下特別始動口２７ｂの開閉手段２８の開閉パターンが通常開閉パターン（例えば０．２秒×１回開放）から延長開閉パターン（例えば２秒×３回開放）へ切り換えられる他、例えば特別図柄に関して特別図柄表示手段２３の変動時間が通常変動時間よりも短い短縮変動時間に切り換えられ、普通図柄に関して、当たり確率が通常確率（例えば１／１０）から高確率（例えば１／１．３）へ、変動時間が通常変動時間（例えば２７秒）から短縮変動時間（例えば２．７秒）へ夫々切り換えられるようになっている。
【００４４】
特別遊技状態が開始されると、特別図柄表示手段２３の変動回数Ｍの計数処理が開始される（Ｓ３）と共に、この変動回数Ｍと特別保留個数（保留個数）Ｎとの和と、規定数である５０との大小関係の判定（Ｓ４）が開始される。
【００４５】
そして、変動回数Ｍと特別保留個数Ｎとの和が規定数である５０に達したと判定されると（Ｓ４：Ｙｅｓ）、普通利益状態の停止期間が開始される（Ｓ５）。図６の例では、特別図柄表示手段２３による４７回目の図柄変動中（変動回数Ｍ＝４７）に、下特別始動口２７ｂに遊技球が入賞して特別保留個数Ｎが３となり、Ｍ＋Ｎの値が規定数である５０に達したため（図６のＴ１）、普通利益状態停止期間が開始されている。
【００４６】
この普通利益状態の停止期間中は、普通図柄表示手段２２による変動後の停止図柄が当たり態様となっても（図６のＴ２〜Ｔ４）普通利益状態が発生せず、従って下特別始動口２７ｂの開閉手段２８の開放動作は行われない。
【００４７】
その後、特別図柄表示手段２３の変動回数Ｍが規定数である５０に達すると（Ｓ６：Ｙｅｓ）（図６のＴ５）、特別遊技状態、即ち確変状態と開放延長状態とが終了する（Ｓ７）と共に、普通利益状態の停止期間が終了し、特別遊技状態発生処理は終了する。従って、その後は普通図柄表示手段２２による変動後の停止図柄が当たり態様になれば（図６のＴ６）普通利益状態が発生し、下特別始動口２７ｂの開閉手段２８が開放される。
【００４８】
以上のように、本実施形態では、特別遊技状態の開始後における特別図柄表示手段２３の変動回数Ｍと、特別保留個数Ｎとの和が規定数である５０に達することにより、普通利益状態の停止期間を開始して下特別始動口２７ｂの開放動作を停止させているため、釘調整の具合等による特別遊技状態の実質的な継続期間の変動を抑制することができ、特別遊技状態中における所定値の算定を正確に行うことができると共に遊技者の不公平感を解消することが可能である。
【００４９】
制御コマンド送信手段５８は、所定の制御コマンドを一方向通信により演出制御基板３２等のサブ制御基板側に送信して制御指令を与えるためのもので、特別図柄処理手段５４による特別図柄処理に基づいて、特別図柄の変動開始時に、特別保留個数の減少を指定する保留減少コマンド、演出図柄の変動パターンを指定する変動パターンコマンド、特別図柄の停止図柄を指定する図柄指定コマンドをこの順序で演出制御基板３２側に送信し、特別図柄の変動終了時に演出図柄の変動停止を指示する変動停止コマンドを演出制御基板３２側に送信する機能、特別保留個数が増加したときに特別保留個数の増加を指定する保留増加コマンドを演出制御基板３２側に送信する機能、特別遊技状態発生手段５７による特別遊技状態の発生時及び終了時にその特別遊技状態に応じて特別遊技状態発生コマンド、特別遊技状態終了コマンド等を演出制御基板３２側に送信する機能の他、例えば特別利益状態等の各種遊技状態に基づいて、画像、音声、ランプの制御コマンドを演出制御基板３２側に送信する機能等を備えている。
【００５０】
演出制御基板３２は、演出図柄表示手段２５、特別保留個数表示手段２６、音声出力手段６１、ランプ手段６２等の各種演出手段を制御するためのもので、演出図柄制御手段６３、特別保留個数表示制御手段６４等を備えている。
【００５１】
演出図柄制御手段６３は、演出図柄表示手段２５による演出図柄の変動表示制御、その演出図柄の変動中に出現する予告演出の制御及びそれらに伴う音声出力手段６１、ランプ手段６２等の制御を行うもので、例えば主制御基板３１から変動パターンコマンドを受信し、その後所定時間内に図柄指定コマンドを受信することを条件に、変動パターンコマンドで指定された変動パターンに基づいて演出図柄の変動を開始させると共に、例えば予告演出抽選によって選択された予告演出を実行しつつ演出図柄を左、右、中等の所定の順序で仮停止させ、主制御基板３１から変動停止コマンドを受信したときに図柄変動を停止・確定させるようになっている。
【００５２】
特別保留個数表示制御手段６４は、特別保留個数表示手段２６の表示制御を行うもので、特別図柄始動手段１６により新たに遊技球が検出され、主制御基板３１から保留増加コマンドを受信したときに、その保留増加コマンドに基づいて、画像表示装置２１の表示画面２１ａ上の所定位置に特別保留個数分のシンボルＸを表示し、例えば主制御基板３１から保留減少コマンドを受信することに基づいて、表示中のシンボルＸの数を１個減少させて前側にシフトさせるように構成されている。
【００５３】
以上、本発明の実施形態について詳述したが、本発明はこれらの実施形態に限定されるものではなく、本発明の趣旨を逸脱しない範囲で種々の変更が可能である。例えば、実施形態では特別遊技状態として確変状態と開放延長状態とを並行して発生させるように構成したが、特別遊技状態は開放延長状態を含んでいればよく、例えば確変状態を並行して発生させなくてもよいし、確変状態と開放延長状態とを並行して発生させる場合と開放延長状態のみを発生させる場合とを設けてもよい。また、開放延長状態を含む特別遊技状態は、大当たり状態の終了後に１００％未満の確率で発生させるように構成してもよい。
【００５４】
実施形態では、特別図柄表示手段（図柄表示手段）２３による図柄変動の契機となる図柄始動手段として、開閉式図柄始動手段の一例としての下特別始動口２７ｂの他に非開閉式図柄始動手段である上特別始動口２７ａを設けた例を示したが、開閉式図柄始動手段のみを設けてもよい。また、開閉式図柄始動手段は、閉状態のときも遊技球が入球可能に構成してもよい。
【００５５】
実施形態のように、特別図柄表示手段（図柄表示手段）２３による図柄変動の契機となる図柄始動手段として、開閉式図柄始動手段の一例としての下特別始動口２７ｂの他に非開閉式図柄始動手段である上特別始動口２７ａ等を設ける場合、図柄表示手段を複数設け、各図柄始動手段が遊技球を検出することに基づいて、対応する図柄表示手段による図柄変動を開始させるように構成してもよい。
【００５６】
実施形態では、特別遊技状態の開始後における特別図柄表示手段２３の変動回数Ｍと、特別保留個数Ｎとの和が規定数に達することにより、開閉式図柄始動手段の一例としての下特別始動口２７ｂの開放動作を停止させるように構成したが、下特別始動口２７ｂの開放動作を停止させるのではなく開放延長機能を停止させるように構成してもよい。
【００５７】
また本発明は、パチンコ機に限らず、アレンジボール機、雀球遊技機等の各種の弾球遊技機においても同様に実施することが可能である。
【符号の説明】
【００５８】
２３    特別図柄表示手段（図柄表示手段）
２７ａ  上特別始動口（図柄始動手段）
２７ｂ  下特別始動口（開閉式図柄始動手段）
５３    特別乱数記憶手段（情報記憶手段）
５５    大当たり状態発生手段（利益状態発生手段）
５７    特別遊技状態発生手段
【図１】
2012095798.tif 000003
【図２】
2012095798.tif 000004
【図３】
2012095798.tif 000005
【図４】
2012095798.tif 000006
【図５】
2012095798.tif 000007
【図６】
2012095798.tif 000008